(57)【要約】【課題】足で踏み付けることによって等形状に破砕することができる容器を提供する。【解決手段】円形の底板１及び該底板１の周縁に連なる円筒体２を有しており、周方向に離間した複数の位置に前記円筒体２の開口縁２ａの近傍位置から前記底板１の中央部にかけて凹条６を有する構成とし、容器を足で踏み付けることにより凹条６部分に応力を集中させ、破砕片が等形状となるようにした。【選択図】　　　　図２
2004010077.tif 000002
【特許請求の範囲】
【請求項１】
円形の底板及び該底板の周縁に連なる円筒体を有する容器において、周方向に離間した複数の位置に前記円筒体の開口縁の近傍位置から前記底板の中央部にかけて凹条を有することを特徴とする容器。
【請求項２】
円形の底板及び該底板の周縁に連なる円筒体を有する容器本体と、前記円筒体の外周に嵌合される手提具とを備えた容器において、前記容器本体は周方向に離間した複数の位置に前記円筒体の開口縁の近傍位置から前記底板の中央部にかけて凹条を有しており、前記手提具は、その両端部が相対回転可能に連結された第１及び第２の湾曲帯体と、該湾曲帯体の連結箇所にその両端部が相対回転可能に連結された第３の湾曲帯体とを有することを特徴とする容器。
【請求項３】
前記開口縁の近傍位置で、前記凹条の近傍位置にその長手方向が前記凹条の長手方向となる凸条を有する請求項１又は２記載の容器。
【請求項４】
その両端部が相対回転可能に連結された第１及び第２の湾曲帯体と、該湾曲帯体の連結箇所にその両端部が相対回転可能に連結された第３の湾曲帯体とを有することを特徴とする手提具。
【発明の詳細な説明】
【０００１】
【発明の属する技術分野】
本発明は、建築現場等で使用される二液性シーリング剤、二液性接着剤等を収容するための容器、及び該容器に装着される手提具に関する。
【０００２】
【従来の技術】
二液性シーリング剤等を収容する容器は、特開平７−２２７９号公報に記載されているように、円形の底板及び該底板の周縁に連なる円筒体を有する容器本体と、前記円筒体の開口縁部分に挿嵌され、断面が凹形の蓋体と、前記円筒体の外周に嵌合される手提具とを備えている。
【０００３】
この手提具はその両端部が１つのピンで連結され、前記円筒体の外周に嵌合される円形の帯体と、該帯体の連結箇所及び該連結箇所と離間した位置に枢着される半円形の帯体とを有する。また、容器本体は焼却が可能な紙によって形成されるか、又は、外部から力を加えることにより破砕が可能な合成樹脂材料によって形成される。
【０００４】
このように構成された容器は、容器本体内にシーリング主剤、２液接着剤等の第１組成物が収容され、蓋体の凹部にシーリング硬化剤、２液接着剤の第２組成物等が封入された収容袋が収納される。そして、建築現場等で蓋体を取外し、該蓋体の凹部に収納されている第２組成物を容器本体内の第１組成物と混合させることにより、シーリング剤、接着剤として使用される。このシーリング剤、接着剤の消費によって不用になった容器は焼却によって処分されるか、又は、焼却することなく廃棄処分される。
【０００５】
【発明が解決しようとする課題】
ところが、焼却することなく廃棄処分される容器は、破砕されることなく建設場等で積み上げて一時的に保管されており、保管されていた容器が破砕されることなく纏めて廃棄物処理場へ運搬されるため、運搬時に嵩高となる。
そこで、不用になった容器の保管時及び運搬時の嵩を低くするには、外部から容器に力を加えて該容器を破砕することが考えられる。しかしながら、合成樹脂材料によって成形された容器は内圧及び外圧によって破砕し難いように形成されているため、容器を足で踏み付ける程度では破砕が難しいし、まして、容器を等形状に破砕することが困難である。従って破砕片が不特定の形状になり、破砕片のとり扱いが極めて難くなる訳である。
【０００６】
また、手提具は円形の帯体に半円形の帯体が相対回転可能に連結された構成であるため、容器本体から取外した状態で出荷される場合、帯体同士を重ねたとしても全体が円形となり、手提具が嵩高になるという問題があった。
【０００７】
本発明は、上述のような事情に鑑みてなされたものであり、主たる目的は周方向に離間した複数の位置に円筒体の開口縁の近傍位置から底板の中央部にかけて凹条を有する構成とすることにより、容器を足で踏み付けることによって凹条部分に応力を集中させてほぼ等形状に破砕することができる容器を提供することにある。
【０００８】
また、他の目的は容器本体の円筒体に前記凹条を設けることにより、凹条部分に応力を集中させてほぼ等形状に破砕することができ、しかも、その両端部が相対回転可能に連結された第１及び第２の湾曲帯体と、該湾曲帯体の連結箇所にその両端部が相対回転可能に連結された第３の湾曲帯体とを有する手提具の構成とすることにより、手提具の容器本体への非装着時、３つの湾曲帯体同士を重ねることによって全体を略半円形にすることができ、非装着時の嵩を低くすることができる容器を提供することにある。
【０００９】
また、他の目的は開口縁の近傍位置で、前記凹条の近傍位置にその長手方向が前記凹条の長手方向となる凸条を有する構成とすることにより、開口縁側を凸条によって補強することができるとともに、容器を足で踏み付けた際には凸条と非凸条との間に応力を集中させ、凸条と非凸条との間で破砕させ、ほぼ等形状の破砕片が得られる容器を提供することにある。
【００１０】
さらに、他の目的はその両端部が相対回転可能に連結された第１及び第２の湾曲帯体と、該湾曲帯体の連結箇所にその両端部が相対回転可能に連結された第３の湾曲帯体とを有する手提具の構成とすることにより、手提具の容器本体への非装着時、３つの湾曲帯体同士を重ねることによって全体を略半円形にすることができ、非装着時の嵩を低くすることができる手提具を提供することにある。
【００１１】
【課題を解決するための手段】
第１発明に係る容器は、円形の底板及び該底板の周縁に連なる円筒体を有する容器において、周方向に離間した複数の位置に前記円筒体の開口縁の近傍位置から前記底板の中央部にかけて凹条を有することを特徴とする。
【００１２】
第１発明にあっては、周方向に離間した複数の位置に凹条が設けられているため、容器を足で踏み付けることによって複数位置の凹条に応力を集中させ、この凹条部分からほぼ等形状に破砕することができる。従って、不用になった容器の保管時及び運搬時の嵩を低くすることができるとともに、破砕片を扱い易くできる。
【００１３】
第２発明に係る容器は、円形の底板及び該底板の周縁に連なる円筒体を有する容器本体と、前記円筒体の外周に嵌合される手提具とを備えた容器において、前記容器本体は周方向に離間した複数の位置に前記円筒体の開口縁の近傍位置から前記底板の中央部にかけて凹条を有しており、前記手提具は、その両端部が相対回転可能に連結された第１及び第２の湾曲帯体と、該湾曲帯体の連結箇所にその両端部が相対回転可能に連結された第３の湾曲帯体とを有することを特徴とする。
【００１４】
第２発明にあっては、容器を足で踏み付けることによって複数位置の凹条に応力を集中させ、この凹条部分からほぼ等形状に破砕することができる。従って、不用になった容器の保管時及び運搬時の嵩を低くすることができるとともに、破砕片を扱い易くできる。しかも、手提具は３つの湾曲帯体を、連結箇所を支点として夫々相対回転させることにより、３つの湾曲帯体同士を重ねて、全体を略半円形にすることができ、非装着時の嵩を低くすることができる。また、手提具を容器本体に装着する際には、第１及び第２の湾曲帯体によって略円環にすることができ、第３の湾曲帯体によって略半円形の手提部を形成することができるため、前記円環を容器本体に嵌合することによって容易に装着することができる。
【００１５】
第３発明に係る容器は、前記開口縁の近傍位置で、前記凹条の近傍位置にその長手方向が前記凹条の長手方向となる凸条を有することを特徴とする。
【００１６】
第３発明にあっては、開口縁側を凸条によって補強することができるため、開口縁側に手提具が装着された際においても、開口縁側の形状を維持することができる。しかも、容器を足で踏み付けた際には凸条によって補強された開口縁側よりも底板側の凹条に応力を集中させることができるため、開口縁側よりも底板側を先に破砕させることができ、この後で開口縁側を足で踏み付けることにより開口縁側の凸条と非凸条との間に応力を集中させ、この凸条と非凸条との間で破砕させることができる。従って、開口縁側を凸条によって補強することができるとともに、ほぼ等形状の破砕片が得られる。
【００１７】
第４発明に係る手提具は、その両端部が相対回転可能に連結された第１及び第２の湾曲帯体と、該湾曲帯体の連結箇所にその両端部が相対回転可能に連結された第３の湾曲帯体とを有することを特徴とする。
【００１８】
第４発明にあっては、３つの湾曲帯体を、連結箇所を支点として夫々相対回転させることにより、３つの湾曲帯体同士を重ねて、全体を略半円形にすることができ、非装着時の嵩を低くすることができる。また、手提具を容器に装着する際には、第１及び第２の湾曲帯体によって略円環にすることができ、第３の湾曲帯体によって半円形の手提部を形成することができるため、前記円環を容器に嵌合することによって容易に装着することができる。
【００１９】
【発明の実施の形態】
以下本発明をその実施の形態を示す図面に基づいて詳述する。
実施の形態１
図１は本発明に係る容器の構成を示す一部切欠正面図、図２は容器本体の斜視図、図３は要部の拡大断面図、図４は凹条部分の拡大断面図である。
【００２０】
容器Ａは円形の底板１及び該底板１の周縁に連なる円筒体２を有する合成樹脂製の容器本体３と、前記円筒体２の開口縁２ａ部内側に挿嵌され、断面が凹形の蓋体４と、前記円筒体２の外周に嵌合される手提具５とを備える。
【００２１】
底板１の周縁には円筒体２と反対方向へ突設された環状リブ１ａが一体に成形されている。円筒体２の開口縁２ａにはラジアル方向外方へ突出する補強用の環状鍔２ｂが一体に成形されている。また、円筒体２は底板１側から開口縁２ａにかけて拡径となるように傾斜している。
【００２２】
このように成形された容器Ａの外側には、周方向に等間隔で離間した４つの位置で前記円筒体２の開口縁２ａから前記底板１の中央部にかけてほぼ連続する凹条６が設けられており、さらに、円筒体２の外側には、開口縁２ａの近傍位置で、前記凹条６の一側と連なる位置にその長手方向が前記凹条６の長手方向となる４つの凸条７が一体に成形されており、該凸条７によって開口縁側を補強してある。
【００２３】
凹条６は図４で示すように断面が略Ｖ字形であり、底板１及び円筒体２の厚さに対して約２／３の深さとなるように凹設されている。また、この凹条６は環状鍔２ｂ及び環状リブ１ａにも設けられており、前記開口縁２ａから前記底板１の中央部にかけてほぼ連続している。
凸条７は前記開口縁２ａと反対側端（底板側端）が開口縁２ａ側端よりも高くなるように傾斜しており、この凸条７によって前記手提具５の脱落を防ぎ、さらに、積み重ねられた容器の積み重ね位置を決めることができるようにしてある。
【００２４】
図５は手提具の構成を示すもので、（ａ）は分解した斜視図、（ｂ）は使用状態時の斜視図、（ｃ）は湾曲帯体を折り畳んだ状態の断面図である。
手提具５はその両端部が合成樹脂製又は金属製の２つのピン部材５０を介して相対回転可能に連結され、前記円筒体２の外周に嵌合される合成樹脂製の第１及び第２の湾曲帯体５１，５２と、該湾曲帯体５１，５２の連結箇所に前記ピン部材５０を介してその両端部が相対回転可能に連結された合成樹脂製の第３の湾曲帯体５３とを有しており、３つの湾曲帯体５１，５２，５３を相対回転させたとき、全体が湾曲形、換言すれば略半円形となるようにしてある。湾曲帯体５１〜５３の両端部には貫通孔が穿設されており、該貫通孔に、その両端部が貫通孔よりも大径に形成された前記ピン部材５０が挿嵌されている。
【００２５】
蓋体４は円形底部４ａと該円形底部４ａの周縁に連なる小径筒部４ｂと、該小径筒部４ｂの開口縁に連なる環状鍔４ｃと、該環状鍔４ｃの外縁に連なる大径筒部４ｄとを有する。小径筒部４ｂには４つの補強用のリブ４ｅが周方向に離間して突設されている。
【００２６】
以上のように構成された容器Ａは、容器本体３内にシーリング主剤等の第１組成物が収容された後、容器本体３の開口縁２ａ内側に蓋体４が挿嵌され、この蓋体４の凹部に、シーリング硬化剤等の第２組成物が封入された収容袋Ｂと、全体が略半円形に折り畳まれた手提具５が収納される。このように手提具５は全体が略半円形となり、蓋体４の凹部に収納することができるため、手提具５が容器本体３に装着されていないときの嵩を低くすることができる。
【００２７】
そして、建築現場等で使用される場合、蓋体４の凹部から手提具５を取り出し、該手提具５の第１及び第２の湾曲帯体５１，５２を相対回転させて略円環とし、この円環を底板１側から容器本体３の外側へ挿嵌し、凸条７と対応する位置で湾曲帯体５１，５２の一部を変形させつつ凸条７の周りに嵌合し、手提具５を容器本体３に保持させる。この後、蓋体４を取外し、該蓋体４の凹部に収納されている収容袋Ｂ内の第２組成物を容器本体３内に入れ、撹拌機にて第１組成物と第２組成物とを混合させる。また、手提具５の第３の湾曲帯体を前記円環に対して回転させることによって略半円形の手提部を形成することができる。
【００２８】
図６（ａ）は容器本体を破砕した状態を示す説明図、図６（ｂ）は破砕片を積み重ねた状態を示す説明図である。
第１組成物及び第２組成物の混合剤が消費されることにより不用になった容器は、手提具５及び蓋体４を容器本体３から取外した状態で容器本体３を例えば外部から蹴ったり、踏み付けたりすることによって容器本体３に外力を加えて破砕する。この場合、底板１及び円筒体２には４つの凹条６が設けられているため、凹条６部分に外力が集中することになり、しかも、円筒体２の開口縁２ａの近傍位置には凸条７が設けられており、この凸条７によって開口縁２ａ側の剛性を底板１側に比べて高くしてあるため、外力が加えられたとき、開口縁２ａ側よりも底板１側の凹条６に応力を集中させることができ、開口縁２ａ側よりも底板１側を先に破砕させることができ、この後で外力をさらに加えることにより、開口縁２ａ側の凸条７と非凸条との間の凹条６部分に応力を集中させることができ、この凸条７と非凸条との間で開口縁２ａ側をほぼ等形状の４つに破砕させることができる。
【００２９】
図７は容器本体を積み重ねた状態を示す説明図である。
容器本体３の開口縁２ａの近傍位置には凸条７が設けられているため、前記蓋体４を取外した状態で容器本体３を積み重ねるとき、下段の容器本体３の開口縁２ａが、上段の容器本体３の凸条７の下端と当接し、積み重ね位置を決めることができる。
【００３０】
実施の形態２
図８は容器の実施の形態２の構成を示す斜視図である。
実施の形態２の容器Ａは、前記凸条７をなくし、前記凹条６を円筒体２の開口縁２ａから前記底板１の中央部にかけてほぼ連続するように設けたものである。
【００３１】
この実施の形態２にあっては、容器本体３を例えば外部から蹴ったり、踏み付けたりすることによって容器本体３に外力を加えることにより、凹条６部分に応力を集中させることができ、この凹条６部分からほぼ等形状に破砕させることができる。
【００３２】
その他の構成及び作用は実施の形態１と同じであるため、同様の部品については同じ符号を付し、その詳細な説明及び作用効果の説明を省略する。
【００３３】
実施の形態３
図９は容器の実施の形態３の構成を示す斜視図である。
実施の形態３の容器は、前記凹条６を円筒体２の開口縁２ａから前記底板１の中央部にかけて設ける代わりに、前記円筒体２の開口縁２ａの近傍位置で、開口縁２ａと離間した位置から前記底板１の中央部にかけて前記凹条６を設けたものである。
実施の形態３において、前記凹条６は前記凸条７の下端（開口縁２ａと反対側端）と連なる位置から前記底板１の中央部にかけてほぼ連続するように設けてある。
【００３４】
この実施の形態３にあっては、容器本体３に外力を加えて破砕する場合、凹条６部分に外力が集中することになり、しかも、円筒体２の開口縁２ａの近傍位置は凸条７によって底板１側に比べて剛性が高くなっているため、外力が加えられたとき、開口縁２ａ側よりも底板１側の凹条６に応力を集中させることができ、開口縁２ａ側よりも底板１側を先に破砕させることができ、この後で外力をさらに加えることにより、開口縁２ａ側の凸条７と非凸条との間の境界部分に応力を集中させることができ、この凸条７と非凸条との間で開口縁２ａ側をほぼ等形状に破砕させることができる。
【００３５】
尚、実施の形態３では前記容器本体３の開口縁２ａに環状鍔２ｂが設けられているため、この環状鍔２ｂに実施の形態１と同様の前記凹条６を設けて、環状鍔２ｂ部分を等形状に破砕させ易くするのが好ましい。　その他の構成及び作用は実施の形態１と同じであるため、同様の部品については同じ符号を付し、その詳細な説明及び作用効果の説明を省略する。
【００３６】
実施の形態４
図１０は容器の実施の形態４の構成を示す平面図である。
実施の形態４の容器Ａは、前記蓋体４の凹部に、２つの位置決め凸部４１，４２を周方向に離間して突設し、換言すれば略半円形に折り畳まれた前記手提具５における湾曲帯体５１〜５３の両端と向き合う２つの位置決め凸部４１，４２を突設し、蓋体４の内側に収納された手提具５の移動を抑制するようにしたものである。
【００３７】
実施の形態４において、蓋体４の円形底部４ａには一方の位置決め凸部４１から他方の位置決め凸部４２に亘って凹部４３を設け、該凹部４３に前記手提具５が配置されている。
その他の構成及び作用は実施の形態１と同じであるため、同様の部品については同じ符号を付し、その詳細な説明及び作用効果の説明を省略する。
【００３８】
尚、以上説明した実施の形態では、容器本体３の外側に凹条６を設けたが、その他、この凹条６は容器本体３の内側に設けてもよいし、また、容器本体３の外側と内側とに設けてもよい。容器本体３の外側と内側とに凹条６を設ける場合、開口縁２ａを含む開口縁２ａの近傍位置と底板１の中央部との間の一部分には外側に凹条６を設け、他の部分には内側に凹条６を設けてもよい。
【００３９】
また、以上説明した実施の形態では、周方向に離間して４つの凹条６を設けたが、その他、この凹条６は周方向に離間して２つ以上設ける構成であればよく、凹条６の個数は特に制限されない。また、凹条６は断面略Ｖ字形としたが、その他、断面略Ｕ字形としてもよく、その断面形状は特に制限されない。また、凹条６は円筒体２の開口縁２ａを含む開口縁２ａの近傍位置から底板１の中央部にかけてほぼ連続して設けたが、その他、この凹条６は凹条６の長手方向に離間して複数が配置された構成、例えば複数の凹条６が間欠的に配置された構成としてもよい。
また、本発明にかかる容器は、容器本体３と、蓋体４と手提具５とを有する容器である他、底板１及び円筒体２を有する容器であってもよい。
【００４０】
【発明の効果】
第１発明及び第２発明によれば、周方向に離間した複数の位置に円筒体の開口縁の近傍位置から底板の中央部にかけて凹条を有するから、容器を足で踏み付けることによって複数位置の凹条に応力を集中させ、この凹条部分からほぼ等形状に破砕することができる。従って、不用になった容器の保管時及び運搬時の嵩を低くすることができるとともに、破砕片を扱い易くできる。
【００４１】
しかも、第２発明によれば、手提具は第１〜第３の湾曲帯体を、連結箇所を支点として夫々相対回転させることにより、３つの湾曲帯体同士を重ねて、全体を略半円形にすることができ、非装着時の嵩を低くすることができる。しかも、手提具を容器本体に装着する際には、第１及び第２の湾曲帯体によって略円環にすることができ、第３の湾曲帯体によって略半円形の手提部を形成することができるため、前記円環を容器本体に嵌合することによって容易に装着することができる。
【００４２】
第３発明によれば、開口縁側を凸条によって補強することができるため、開口縁側に手提具が装着された際においても、開口縁側の形状を維持することができ、しかも、容器を足で踏み付けた際には凸条によって補強された開口縁側よりも底板側の凹条に応力を集中させることができるため、開口縁側よりも底板側を先に破砕させることができ、この後で開口縁側を足で踏み付けることにより開口縁側の凸条と非凸条との間に応力を集中させ、この凸条と非凸条との間で破砕させることができる。従って、開口縁側を凸条によって補強することができるとともに、ほぼ等形状の破砕片が得られる。
【００４３】
第４発明によれば、第１〜第３の湾曲帯体を、連結箇所を支点として夫々相対回転させることにより、３つの湾曲帯体同士を重ねて、全体を略半円形にすることができ、非装着時の嵩を低くすることができる。しかも、手提具を容器に装着する際には、第１及び第２の湾曲帯体によって略円環にすることができ、第３の湾曲帯体によって略半円形の手提部を形成することができるため、前記円環を容器に嵌合することによって容易に装着することができる。
【図面の簡単な説明】
【図１】本発明に係る容器の構成を示す一部切欠正面図である。
【図２】本発明に係る容器における容器本体の斜視図である。
【図３】本発明に係る容器の要部の拡大断面図である。
【図４】本発明に係る容器の凹条部分の拡大断面図である。
【図５】本発明に係る手提具の構成を示すもので、（ａ）は分解した斜視図、（ｂ）は使用状態時の斜視図、（ｃ）は湾曲帯体を折り畳んだ状態の断面図である。
【図６】（ａ）は容器本体を破砕した状態を示す説明図、（ｂ）は破砕片を積み重ねた状態を示す説明図である。
【図７】本発明に係る容器の容器本体を積み重ねた状態を示す説明図である。
【図８】本発明に係る容器の実施の形態２の構成を示す斜視図である。
【図９】本発明に係る容器の実施の形態３の構成を示す斜視図である。
【図１０】本発明に係る容器の実施の形態４の構成を示す平面図である。
【符号の説明】
１　　底板
２　　円筒体
３　　容器本体
５　　手提具
５１〜５３　湾曲帯体
６　　凹条
７　　凸条
【図１】
2004010077.tif 000003
【図２】
2004010077.tif 000004
【図３】
2004010077.tif 000005
【図４】
2004010077.tif 000006
【図５】
2004010077.tif 000007
【図６】
2004010077.tif 000008
【図７】
2004010077.tif 000009
【図８】
2004010077.tif 000010
【図９】
2004010077.tif 000011
【図１０】
2004010077.tif 000012